【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
インタラクティブテレビ番組ガイドを用いて第１のチューナおよび第２のチューナを制御する方法であって、
該インタラクティブテレビ番組ガイドを用いてディスプレイ装置に番組ガイドディスプレイを表示させることと、
該インタラクティブテレビ番組ガイドを用いて該番組ガイドディスプレイ上に示されたテレビ番組を録画するためにユーザ選択を受け取ることと、
別の番組が該ディスプレイ装置によって表示されるのと同時に該テレビ番組が該ビデオテープレコーダによって録画されるように、該インタラクティブテレビ番組ガイドを用いて、該第１のチューナの出力をビデオテープレコードに向けるとともに、該第２のチューナの出力を該ディスプレイ装置に向けることと
を包含する、方法。
【請求項２】
前記ディスプレイ装置に番組ガイドディスプレイを表示させることは、該ディスプレイ装置に前記テレビ番組に対応する番組リストを表示させることを包含する、請求項１に記載の方法。
【請求項３】
前記テレビ番組を録画するためにユーザ選択を受け取ることは、前記番組リストがカーソルによってハイライトされるとき、ユーザ選択をリモートコントロールから受け取ることを包含する、請求項２に記載の方法。
【請求項４】
テレビ番組を録画するためにユーザ選択を受け取ることは、今後のテレビ番組を録画するためにユーザ選択を受け取ることを包含する、請求項１に記載の方法。
【請求項５】
前記ユーザ選択を受け取ることに応答して、録画される前記今後のテレビ番組を前記インタラクティブテレビ番組ガイドを用いてスケジュールすることをさらに包含し、前記第１のチューナの前記出力を前記録画装置に向けることは、該今後のテレビ番組の開始時に該第１のチューナの該出力を該録画装置に向けることを包含する、請求項４に記載の方法。
【請求項６】
テレビ番組を記録するためにユーザ選択を受け取ることは、現在放映されているテレビ番組を録画するためにユーザ選択を受け取ることを包含し、前記第１のチューナの前記出力を前記録画装置に向けることは、該ユーザ選択を受け取ることに応答して、該第１のチューナの該出力を該録画装置に向けることを包含する、請求項１に記載の方法。
【請求項７】
前記ユーザ選択を受け取ることに応答して、前記インタラクティブテレビ番組ガイドを用いて録画リストを前記テレビ番組に追加することと、
該インタラクティブテレビ番組ガイドを用いて該録画リストを前記ディスプレイ装置に表示させることと
をさらに包含する、請求項１に記載の方法。
【請求項８】
前記インタラクティブテレビ番組ガイドを用いて前記録画リストから前記テレビ番組を消去することをさらに包含する、請求項７に記載の方法。
【請求項９】
前記第１のチューナが、前記ビデオテープレコーダに含まれ、前記第２のチューナが、セットトップボックスに含まれる、請求項１に記載の方法。
【請求項１０】
前記第１のチューナおよび前記第２のチューナが単一のセットトップボックスに含まれる、請求項１に記載の方法。
【請求項１１】
ユーザ機器上に実装されたインタラクティブテレビ番組ガイドを有するユーザ機器であって、
該ユーザ機器が、
ディスプレイ装置と、
第１のチューナと、
第２のチューナと、
ビデオテープレコーダと
を備え、
該インタラクティブテレビ番組ガイドは、
該ディスプレイ装置に番組ガイドディスプレイを表示させ、
該番組ガイドディスプレイ上に示されたテレビ番組を録画するためにユーザ選択を受け取り、
別の番組が該ディスプレイ装置によって表示されるのと同時に該テレビ番組が該ビデオテープレコーダによって録画されるように、該第１のチューナの出力を該ビデオテープレコーダに向けるとともに、該第２のチューナの出力を該ディスプレイ装置に向けるように構成されている、ユーザ機器。
【請求項１２】
前記インタラクティブテレビ番組ガイドは、前記テレビ番組に対応する番組リストを含む番組ガイドディスプレイを前記ディスプレイ装置に表示させるように構成されている、請求項１１に記載のユーザ機器。
【請求項１３】
前記インタラクティブテレビ番組ガイドは、前記番組リストがカーソルによってハイライトされるとき、前記ユーザ選択をリモートコントロールから受け取るように構成されている、請求項１２に記載のユーザ機器。
【請求項１４】
前記インタラクティブテレビ番組ガイドは、今後のテレビ番組を録画するためにユーザ選択を受け取るように構成されている、請求項１１に記載のユーザ機器。
【請求項１５】
前記インタラクティブテレビ番組ガイドは、前記ユーザ選択を受け取ることに応答して、録画される前記今後のテレビ番組をスケジュールするように、かつ、前記テレビ番組の開始時に、前記第１のチューナの前記出力を前記録画装置に向けるように構成されている、請求項１４に記載のユーザ機器。
【請求項１６】
前記インタラクティブテレビ番組ガイドは、現在放映されているテレビ番組を録画するためにユーザ選択を受け取るように、かつ、該ユーザ選択を受け取ることに応答して、前記第１のチューナの前記出力を前記録画装置に向けるように構成されている、請求項１１に記載のユーザ機器。
【請求項１７】
前記インタラクティブテレビ番組ガイドは、前記ユーザ選択を受け取ることに応答して、前記テレビ番組を録画リストに追加するように、かつ、該録画リストを前記ディスプレイ装置に表示させるようにさらに構成されている、請求項１１に記載のユーザ機器。
【請求項１８】
前記インタラクティブテレビ番組ガイドは、前記録画リストから前記テレビ番組を消去するようにさらに構成されている、請求項１７に記載のユーザ機器。
【請求項１９】
前記第１のチューナが前記ビデオテープレコーダに含まれ、前記第２のチューナがセットトップボックスに含まれる、請求項１１に記載のユーザ機器。
【請求項２０】
前記第１のチューナおよび前記第２のチューナが単一のセットトップボックスに含まれる、請求項１１に記載のユーザ機器。
【請求項２１】
第１のチューナおよび第２のチューナを制御するインタラクティブテレビ番組ガイドのための機械読み取り可能媒体であって、
該機械読み取り可能媒体には、機械プログラム論理が記録されており、
該機械プログラム論理は、
該インタラクティブテレビ番組ガイドを用いてディスプレイ装置に番組ガイドディスプレイを表示させ、
該インタラクティブテレビ番組ガイドを用いて該番組ガイドディスプレイ上に示されたテレビ番組を録画するためにユーザ選択を受け取り、
別の番組が該ディスプレイ装置によって表示されるのと同時に該テレビ番組が該ビデオテープレコーダによって録画されるように、該インタラクティブテレビ番組ガイドを用いて、該第１のチューナの出力をビデオテープレコードに向けるとともに、該第２のチューナの出力を該ディスプレイ装置に向ける、機械読み取り可能媒体。
【請求項２２】
前記ディスプレイ装置に番組ガイドディスプレイを表示させることは、前記テレビ番組に対応する番組リストを該ディスプレイ装置に表示させることを含む、請求項２１に記載の機械読み取り可能媒体。
【請求項２３】
前記テレビ番組を録画するためにユーザ選択を受け取ることは、前記番組リストがカーソルによってハイライトされるとき、ユーザ選択をリモートコントロールから受け取ることを含む、請求項２２に記載の機械読み取り可能媒体。
【請求項２４】
テレビ番組を録画するためにユーザ選択を受け取ることは、今後のテレビ番組を録画するためにユーザ選択を受け取ることを含む、請求項２１に記載の機械読み取り可能媒体。
【請求項２５】
前記ユーザ選択を受け取ることに応答して、録画される前記今後のテレビ番組を前記インタラクティブテレビ番組ガイドを用いてスケジュールするプログラム論理が前記機械読み取り可能媒体にさらに記録されており、前記第１のチューナの前記出力を前記録画装置に向けることは、該今後のテレビ番組の開始時に該第１のチューナの該出力を該録画装置に向けることを含む、請求項２４に記載の機械読み取り可能媒体。
【請求項２６】
テレビ番組を記録するためにユーザ選択を受け取ることは、現在放映されているテレビ番組を録画するためにユーザ選択を受け取ることを含み、前記第１のチューナの前記出力を前記録画装置に向けることは、該ユーザ選択を受け取ることに応答して、該第１のチューナの該出力を該録画装置に向けることを含む、請求項２１に記載の機械読み取り可能媒体。
【請求項２７】
前記ユーザ選択を受け取ることに応答して、前記インタラクティブテレビ番組ガイドを用いて前記テレビ番組を録画リストに追加し、該インタラクティブテレビ番組ガイドを用いて前記ディスプレイ装置に該録画リストを表示させる機械プログラム論理が前記機械読み取り可能媒体にさらに記録されている、請求項２１に記載の機械読み取り可能媒体。
【請求項２８】
前記インタラクティブテレビ番組ガイドを用いて前記録画リストから前記テレビ番組を消去する機械プログラム論理が前記機械読み取り可能媒体にさらに記録されている、請求項２７に記載の機械読み取り可能媒体。
【請求項２９】
前記第１のチューナが、前記ビデオテープレコーダに含まれ、前記第２のチューナが、セットトップボックスに含まれる、請求項２１に記載の機械読み取り可能媒体。
【請求項３０】
前記第１のチューナおよび前記第２のチューナが単一のセットトップボックスに含まれる、請求項２１に記載の機械読み取り可能媒体。